(57)【特許請求の範囲】
【請求項１】
手首に装着される無線通信装置であって、
２つの部分が連結されることによって、前記２つの部分で構成される連結部分を含む環状体を形成するバンドと、
前記環状体の外周側に取り付けられ、前記外周側において前記連結部分を覆う筐体と、
前記連結部分を覆う前記筐体とは前記連結部分を挟んで反対側において、および、前記環状体の環状の断面を含む境界面を挟んだ両側において、前記連結部分を覆い、前記外周側において取り付けられた前記筐体が片手で取り外されないように前記筐体と嵌合するブラケットとを備える
無線通信装置。
【請求項２】
前記ブラケットは、前記外周側に取り付けられた前記筐体の複数の面のうち前記連結部分に向いている面とは反対側の面の一部を覆って、前記筐体と嵌合する
請求項１に記載の無線通信装置。
【請求項３】
前記ブラケットには、前記筐体と嵌合するための凸部が形成されており、
前記筐体には、前記ブラケットと嵌合するための凹部が形成されている
請求項１または２に記載の無線通信装置。
【請求項４】
前記ブラケットは、前記境界面を挟んで前記筐体の両側と嵌合する
請求項１〜３のいずれか１項に記載の無線通信装置。
【請求項５】
前記２つの部分には、２つの孔が形成されており、
前記ブラケットは、前記２つの孔へ挿入されることによって前記２つの部分を連結する挿入部を備える
請求項１〜４のいずれか１項に記載の無線通信装置。
【請求項６】
前記筐体には、溝が形成されており、
前記挿入部は、前記外周側に取り付けられる前記筐体とは反対側から前記２つの孔へ挿入され、前記２つの孔を通って、前記筐体に形成されている前記溝に挿入される
請求項５に記載の無線通信装置。
【請求項７】
前記バンドと前記ブラケットとは、分離しないように一体化されている
請求項１〜６のいずれか１項に記載の無線通信装置。
【請求項８】
前記外周側に取り付けられた前記筐体は、前記筐体から前記ブラケットを引き離す外力で前記ブラケットが撓ることによって、取り外される
請求項１〜７のいずれか１項に記載の無線通信装置。
【請求項９】
前記筐体は、コインを用いて与えられる前記外力で前記ブラケットが撓ることによって、取り外される
請求項８に記載の無線通信装置。
【請求項１０】
前記ブラケットは、コインを差し込んで前記ブラケットを撓らせるための差込部を備える
請求項１〜９のいずれか１項に記載の無線通信装置。
【請求項１１】
前記差込部の形状は、前記コインの形状に沿っている
請求項１０に記載の無線通信装置。
【請求項１２】
前記差込部は、前記外周側に取り付けられた前記筐体と前記ブラケットが嵌合する際に前記境界面で分断される前記ブラケットの２つの区域のうち一方のみに備えられる
請求項１０または１１に記載の無線通信装置。
【請求項１３】
前記筐体は、前記差込部に差し込まれた前記コインから前記筐体への外力をよけるための傾斜部を備える
請求項１０〜１２のいずれか１項に記載の無線通信装置。
【請求項１４】
前記ブラケットは、ポリカーボネートで構成されている
請求項１〜１３のいずれか１項に記載の無線通信装置。
【請求項１５】
前記バンドは、エラストマーで構成されている
請求項１〜１４のいずれか１項に記載の無線通信装置。
【請求項１６】
前記筐体は、ポリカーボネートおよびガラス繊維で構成されている
請求項１〜１５のいずれか１項に記載の無線通信装置。
【請求項１７】
前記ブラケットは、曲がった板状に形成されており、
前記ブラケットの厚みは、３ｍｍ以内である
請求項１〜１６のいずれか１項に記載の無線通信装置。
【請求項１８】
前記ブラケットの厚みは、曲がった板状に形成されている前記ブラケットが全体として一定の強度で構成されるように、前記ブラケットの領域毎に異なっている
請求項１７に記載の無線通信装置。
【請求項１９】
前記無線通信装置は、さらに、前記筐体に、無線通信を行う通信部を備える
請求項１〜１８のいずれか１項に記載の無線通信装置。
【発明の詳細な説明】
【技術分野】
【０００１】
本発明は、手首に装着される無線通信装置に関する。
【背景技術】
【０００２】
従来、徘徊者を保護するための技術として、特許文献１および特許文献２に記載の技術がある。具体的には、特許文献１および特許文献２には、腕時計型の通信装置が示されている。例えば、このような腕時計型の通信装置は、徘徊する可能性を有する被介護者の手首に装着される。そして、特許文献１および特許文献２では、被介護者が腕時計型の通信装置を外すことができないように、腕時計型の通信装置に対して鍵が利用される。
【０００３】
これにより、腕時計型の通信装置が被介護者によって外されることなく、腕時計型の通信装置の通信機能を用いて被介護者を保護することが可能である。
【先行技術文献】
【特許文献】
【０００４】
【特許文献１】特開２００５−２７８８６４号公報
【特許文献２】登録実用新案第３０３６９６０号公報
【発明の概要】
【発明が解決しようとする課題】
【０００５】
しかしながら、腕時計型の通信装置に対して鍵が利用される場合、被介護者が多くなるほど鍵の管理が複雑化する。また、被介護者が鍵の所在を知得した場合、被介護者自身が鍵を用いて腕時計型の通信装置を手首から外すことができる。また、介護者が鍵を紛失することなどによって腕時計型の通信装置を被介護者の手首から外すことができない状況に陥る可能性がある。また、腕時計型の通信装置に錠の機構を追加することは容易ではない。
【０００６】
そこで、本発明は、装着状態をシンプルかつ適切に維持することができる無線通信装置を提供する。
【課題を解決するための手段】
【０００７】
上記課題を解決するため、本発明の一態様に係る無線通信装置は、手首に装着される無線通信装置であって、２つの部分が連結されることによって、前記２つの部分で構成される連結部分を含む環状体を形成するバンドと、前記環状体の外周側に取り付けられ、前記外周側において前記連結部分を覆う筐体と、前記連結部分を覆う前記筐体とは前記連結部分を挟んで反対側において、および、前記環状体の環状の断面を含む境界面を挟んだ両側において、前記連結部分を覆い、前記外周側において取り付けられた前記筐体が片手で取り外されないように前記筐体と嵌合するブラケットとを備える。
【０００８】
これにより、無線通信装置の装着者が自分自身で無線通信装置を手首から外すことが困難になる。一方、無線通信装置の装着者とは別の人が、両手を用いて無線通信装置を無線通信装置の装着者の手首から外すことが可能である。したがって、この無線通信装置は、装着状態をシンプルかつ適切に維持することができる。
【０００９】
例えば、前記ブラケットは、前記外周側に取り付けられた前記筐体の複数の面のうち前記連結部分に向いている面とは反対側の面の一部を覆って、前記筐体と嵌合してもよい。
【００１０】
これにより、無線通信装置の装着者が自分自身で無線通信装置を手首から外すことがより困難になる。また、筐体が取り付けられた状態が安定する。
【００１１】
また、例えば、前記ブラケットには、前記筐体と嵌合するための凸部が形成されており、前記筐体には、前記ブラケットと嵌合するための凹部が形成されていてもよい。
【００１２】
これにより、ブラケットが筐体と適切に嵌合する。また、無線通信装置の装着者が自分自身で無線通信装置を手首から外すことがより困難になる。
【００１３】
また、例えば、前記ブラケットは、前記境界面を挟んで前記筐体の両側と嵌合してもよい。
【００１４】
これにより、ブラケットが筐体の両側と接触し嵌合する。したがって、ブラケットは筐体を適切に支持することができる。
【００１５】
また、例えば、前記２つの部分には、２つの孔が形成されており、前記ブラケットは、前記２つの孔へ挿入されることによって前記２つの部分を連結する挿入部を備えてもよい。
【００１６】
これにより、連結部分において、２つの孔に挿入部が挿入され、バンドの２つの部分が連結される。そして、連結部分は、ブラケットおよび筐体で覆われるため、連結部分を構成する２つの部分を引き離すことは困難である。したがって、装着状態が安定して維持される。
【００１７】
また、例えば、前記筐体には、溝が形成されており、前記挿入部は、前記外周側に取り付けられる前記筐体とは反対側から前記２つの孔へ挿入され、前記２つの孔を通って、前記筐体に形成されている前記溝に挿入されてもよい。
【００１８】
これにより、挿入部が２つの孔から外れ難くなる。また、連結部分の付近に、筐体が安定して取り付けられる。
【００１９】
また、例えば、前記バンドと前記ブラケットとは、分離しないように一体化されていてもよい。
【００２０】
これにより、バンドとブラケットとを分離することが困難になる。したがって、無線通信装置を手首から外すことがより困難になる。
【００２１】
また、例えば、前記外周側に取り付けられた前記筐体は、前記筐体から前記ブラケットを引き離す外力で前記ブラケットが撓ることによって、取り外されてもよい。
【００２２】
これにより、ブラケットを筐体から引き離す外力に従って、筐体が取り外される。両手を用いずに、片手で、ブラケットを筐体から引き離す外力を与えることは困難である。したがって、装着状態が安定して維持される。
【００２３】
また、例えば、前記筐体は、コインを用いて与えられる前記外力で前記ブラケットが撓ることによって、取り外されてもよい。
【００２４】
これにより、コインを用いて十分な外力が与えられる。したがって、無線通信装置を手首から外すことが容易になる。
【００２５】
また、例えば、前記ブラケットは、コインを差し込んで前記ブラケットを撓らせるための差込部を備えてもよい。
【００２６】
これにより、無線通信装置を手首から外す際に、コインを用いて外力を与えることが容易になる。
【００２７】
また、例えば、前記差込部の形状は、前記コインの形状に沿っていてもよい。
【００２８】
これにより、コインが差込部に適切に差し込まれる。したがって、無線通信装置を手首から外すための外力が適切に与えられる。
【００２９】
また、例えば、前記差込部は、前記外周側に取り付けられた前記筐体と前記ブラケットが嵌合する際に前記境界面で分断される前記ブラケットの２つの区域のうち一方のみに備えられてもよい。
【００３０】
これにより、コインを差し込んで外力を与える方向が制限される。したがって、無線通信装置の装着者が自分自身で無線通信装置を手首から外すことがより困難になる。
【００３１】
また、例えば、前記筐体は、前記差込部に差し込まれた前記コインから前記筐体への外力をよけるための傾斜部を備えてもよい。
【００３２】
これにより、コインを用いてブラケットおよび筐体の両方へ外力を与えることが困難になる。したがって、無線通信装置の装着者が自分自身で無線通信装置を手首から外すことがより困難になる。
【００３３】
また、例えば、前記ブラケットは、ポリカーボネートで構成されていてもよい。
【００３４】
これにより、ブラケットに関して、適切な硬度を得ることが可能である。また、ポリカーボネートにガラス繊維を追加して、硬度を調整することが可能である。
【００３５】
また、例えば、前記バンドは、エラストマーで構成されていてもよい。
【００３６】
これにより、バンドに関して、適切な弾力性、および、適切な耐性を得ることが可能である。
【００３７】
また、例えば、前記筐体は、ポリカーボネートおよびガラス繊維で構成されていてもよい。
【００３８】
これにより、筐体に関して、適切な硬度を得ることが可能である。また、ポリカーボネートとガラスとの配分に基づいて、硬度を調整することが可能である。また、ブラケットと同種の材料を用いることが可能であり、材料の仕入れを簡便化することが可能である。
【００３９】
また、例えば、前記ブラケットは、曲がった板状に形成されており、前記ブラケットの厚みは、３ｍｍ以内でもよい。
【００４０】
これにより、ブラケットは、適切に撓り、適切に筐体と嵌合する。したがって、装着状態が安定して維持される。
【００４１】
また、例えば、前記ブラケットの厚みは、曲がった板状に形成されている前記ブラケットが全体として一定の強度で構成されるように、前記ブラケットの領域毎に異なってもよい。
【００４２】
これにより、ブラケットは、壊れることなく、適切に撓る。また、ブラケットの耐久性が向上する。
【００４３】
また、例えば、前記無線通信装置は、さらに、前記筐体に、無線通信を行う通信部を備えてもよい。
【００４４】
これにより、無線通信を行うための通信部が、筐体によって保護される。したがって、故障の発生が抑制される。
【００４５】
なお、これらの包括的または具体的な態様は、システム、装置、方法、集積回路、コンピュータプログラム、コンピュータ読み取り可能なＣＤ−ＲＯＭなどの非一時的な記録媒体、または、これらの任意の組み合わせで実現されてもよい。
【発明の効果】
【００４６】
本発明の一態様に係る無線通信装置は、装着状態をシンプルかつ適切に維持することができる。
【図面の簡単な説明】
【００４７】
【図１】図１は、実施の形態における無線通信システムの模式図である。
【図２】図２は、実施の形態における無線通信装置の斜視図である。
【図３】図３は、実施の形態におけるバンドおよびブラケットの斜視図である。
【図４】図４は、実施の形態におけるバンドの前面を示す図である。
【図５】図５は、実施の形態におけるバンドの側面を示す図である。
【図６】図６は、実施の形態におけるバンドの端面を示す図である。
【図７】図７は、実施の形態におけるブラケットの斜視図である。
【図８】図８は、実施の形態におけるブラケットの下面を示す図である。
【図９】図９は、実施の形態におけるブラケットの前面を示す図である。
【図１０】図１０は、実施の形態におけるブラケットの背面を示す図である。
【図１１】図１１は、実施の形態におけるブラケットの側面を示す図である。
【図１２】図１２は、実施の形態におけるブラケットの断面を示す図である。
【図１３】図１３は、実施の形態におけるバンドおよびブラケットの前面を示す図である。
【図１４】図１４は、実施の形態におけるバンドおよびブラケットの側面を示す図である。
【図１５】図１５は、実施の形態におけるバンドおよびブラケットの断面を示す図である。
【図１６】図１６は、実施の形態における筐体の斜視図である。
【図１７】図１７は、実施の形態における筐体の前面を示す図である。
【図１８】図１８は、実施の形態における筐体の背面を示す図である。
【図１９】図１９は、実施の形態における筐体の側面を示す図である。
【図２０】図２０は、実施の形態における筐体の断面を示す図である。
【図２１】図２１は、実施の形態における筐体の上面を示す図である。
【図２２】図２２は、実施の形態における筐体の外形の端面を示す図である。
【図２３】図２３は、実施の形態における無線通信装置を手首に装着する過程を示す図である。
【図２４】図２４は、実施の形態におけるブラケットおよび筐体の結合状態を示す図である。
【図２５】図２５は、実施の形態における無線通信装置を手首から外す過程を示す図である。
【発明を実施するための形態】
【００４８】
以下、実施の形態について、図面を参照しながら具体的に説明する。なお、以下で説明する実施の形態は、いずれも包括的または具体的な例を示す。以下の実施の形態で示される数値、形状、材料、構成要素、構成要素の配置位置および接続形態、工程、工程の順序などは、一例であり、本発明を限定する主旨ではない。また、以下の実施の形態における構成要素のうち、最上位概念を示す独立請求項に記載されていない構成要素は、任意の構成要素として説明される。
【００４９】
また、ここでは、斜視図の上側を前面として表現し、下側を背面として表現し、右下側を下面として表現し、左上側を上面として表現し、左下側および右上側のそれぞれを側面として表現する場合がある。
【００５０】
（実施の形態）
まず、本実施の形態における無線通信装置が利用される無線通信システムを説明する。特に、本実施の形態における無線通信装置は、人の位置を検出するための無線通信システムにおいて利用される。
【００５１】
図１は、本実施の形態における無線通信システムの模式図である。図１に示された無線通信システム１０は、親機２０、中継機２１、中継機２２、中継機２３、および、子機（無線通信装置）３０を備える。
【００５２】
例えば、子機３０は、被介護者である人９０の手首に装着される。そして、子機３０は、定期的に信号を発信する。中継機２１、２２、２３は、子機３０から発信された信号を受信し、電波強度を測定する。そして、中継機２１、２２、２３は、測定された信号強度を親機２０へ送信する。その際、例えば、中継機２３は、中継機２１を介して、親機２０へ、測定された信号強度を送信してもよい。
【００５３】
親機２０は、中継機２１、２２、２３から受信した電波強度、および、予め特定されている中継機２１、２２、２３の位置に基づいて、子機３０の位置を推定する。介護者である人８０は、親機２０で推定された位置を確認することにより、人９０の位置を確認することができる。
【００５４】
しかしながら、子機３０が人９０の手首から外されている場合、無線通信システム１０において、人９０の位置を確認することが困難である。そこで、本実施の形態における子機３０は、装着状態が適切に維持されるように構成される。
【００５５】
なお、子機３０と中継機２１、２２、２３のそれぞれとの間では、無線通信が用いられる。すなわち、子機３０は、無線通信装置である。親機２０と中継機２１、２２、２３との間では、無線通信が用いられてもよいし、有線通信が用いられてもよい。通信規格は限定されず、どのような規格が用いられてもよい。
【００５６】
また、親機２０と中継機２１、２２、２３とは、それぞれ、専用の装置でもよいし、携帯電話またはパーソナルコンピュータ等の汎用的な装置でもよい。親機２０は、推定された位置を他の装置に通知することにより、推定された位置を人８０に通知してもよい。
【００５７】
また、ここでは、被介護者と介護者とが無線通信システム１０を利用する例が示されている。無線通信システム１０の利用者は、このような例に限られず、子とその親とが無線通信システム１０を利用してもよい。
【００５８】
以下、子機３０の構成を具体的に説明する。なお、以下では、子機３０が無線通信装置３０として示される。
【００５９】
図２は、図１に示された無線通信装置３０の斜視図である。無線通信装置３０は、人９０の手首９１に装着される。その際、例えば、人９０の利き手側に無線通信装置３０が装着されることで、人９０が無線通信装置３０を自分で取り外すことが難しくなる。また、無線通信装置３０は、バンド５０、ブラケット６０、および、筐体７０を構成要素として備える。以下、無線通信装置３０の各構成要素を具体的に説明する。
【００６０】
図３は、図２に示されたバンド５０およびブラケット６０の斜視図である。図３では、バンド５０およびブラケット６０が一体化されている。なお、バンド５０およびブラケット６０は、一体成形されてもよい。
【００６１】
バンド５０は、長尺状の形状を有する。バンド５０は、ベルトと表現される場合もある。また、バンド５０は、エラストマーで構成され、例えば、ゴムで構成される。これにより、バンド５０は、柔軟に曲げられる。なお、バンド５０は、金属線を含んでいてもよい。これにより、バンド５０を切断することが困難になる。
【００６２】
ブラケット６０は、筐体７０をバンド５０に取り付けるための支持具であって、板状に形成されており、かつ、Ｕ字状に形成されている。また、ブラケット６０は、ポリカーボネートで構成される。これにより、適度な硬度でブラケット６０が構成される。
【００６３】
具体的には、ブラケット６０は、外力が加えられることで少し撓り、外力が取り除かれることで元の形状に戻るという性質を有する。ここで、外力は、例えば、バンド５０、ブラケット６０および筐体７０の間で相互に作用する力ではなく、外部から与えられる力を意味する。例えば、人８０によって与えられる力である。
【００６４】
なお、ブラケット６０は、ガラス繊維を含んでもよい。これにより、ポリカーボネートとガラス繊維の配分に基づいて、ブラケット６０の硬度が調整される。
【００６５】
図４は、図２に示されたバンド５０の前面を示す図である。図４の通り、バンド５０は、複数の小片５１と、複数のくびれ部５２と、取り付け部５８とを含む。
【００６６】
取り付け部５８には、ブラケット６０が取り付けられる。また、取り付け部５８は、孔５４と切り欠き部５５を有する。また、複数の小片５１のうち、取り付け部５８とは反対側のいくつかの小片５１に孔５３が２つずつ形成されている。複数のくびれ部５２は、複数の小片５１の間に形成されている。そして、くびれ部５２は小片５１よりも細く形成されている。また、くびれ部５２の形状は、破損を防ぐため、カーブしている。
【００６７】
また、バンド５０の幅は、２０ｍｍである。くびれ部５２の幅は、１５ｍｍである。孔５３の幅は、４．５ｍｍである。一対の孔５３の幅は、１２ｍｍである。
【００６８】
また、図４において、複数の孔５４のうち一番下の孔５４と、複数の孔５３のうち一番上の孔５３との間の距離は、９８．５ｍｍである。一方、一番下の孔５３までの距離は、２３６．５ｍｍである。また、複数の孔５３は、６ｍｍ間隔で形成されている。したがって、バンド５０によって形成される環状体の周長は、９８．５ｍｍから２３６．５ｍｍまでであって、６ｍｍ間隔で調整可能である。これにより、周長が、手首９１に対して緩めに、かつ、手首９１から外れないように調整可能である。
【００６９】
図５は、図２に示されたバンド５０の側面を示す図である。図５に示された通り、取り付け部５８は、ブラケット６０が取り付けられる空洞部５６を含む。また、切り欠き部５５は、取り付け部５８の前面のみに形成されている。
【００７０】
取り付け部５８の全体の厚みは、３．２ｍｍである。また、取り付け部５８の背面の厚みは、０．８ｍｍであり、取り付け部５８の前面の厚みは、０．６ｍｍである。そして、小片５１の厚みは、１．８ｍｍであり、くびれ部５２の厚みは、１ｍｍである。
【００７１】
特に、くびれ部５２は、細く、かつ、薄く形成されている。これにより、直線状のバンド５０は、自然な環状体を形成することができる。また、例えば、バンド５０の長さを調整するため、くびれ部５２は、はさみ等で切断可能であってもよい。くびれ部５２は、細く、薄いため、くびれ部５２をはさみ等で切断することは容易である。一方、人９０が自分自身でくびれ部５２を切断することができないように、くびれ部５２は、特殊な道具（特殊なはさみ）のみで、切断可能であってもよい。
【００７２】
図６は、図２に示されたバンド５０の端面を示す図である。より具体的には、図６は、図４に示されたバンド５０のＡ−Ａ’端面を示す。図６に示された通り、孔５４は、取り付け部５８の前面のみに形成されている。
【００７３】
図７は、図２に示されたブラケット６０の斜視図である。より具体的には、図３に示された一体化されたバンド５０およびブラケット６０のうち、ブラケット６０のみが示されている。
【００７４】
図８は、図７に示されたブラケット６０の下面を示す図である。より具体的には、図７に示されたブラケット６０を右下から見た図である。ブラケット６０は、Ｕ字状に形成されている。また、ブラケット６０は、凸部６１、挿入部６２、および、隆起部６３等を有する。
【００７５】
凸部６１は、筐体７０と嵌合するための形状を有する。そして、ブラケット６０と筐体７０とが組み合わされた場合、凸部６１は、筐体７０の前面に引っ掛けられる。すなわち、凸部６１は、筐体７０の前面の一部を覆う。また、凸部６１は、ブラケット６０の両側に形成されている。１対の凸部６１は、筐体７０の両側と嵌合する。なお、凸部６１は、爪、鉤、鉤爪、爪部、鉤部、または、鉤爪部などのように表現されてもよい。
【００７６】
挿入部６２は、バンド５０の孔５４および孔５３に挿入される。これにより、バンド５０の２つの部分が連結され、環状体が形成される。また、複数の挿入部６２は、複数対の挿入部６２で構成される。複数対の挿入部６２のうち、一対の挿入部６２は、より大きく突出している。
【００７７】
隆起部６３は、バンド５０の切り欠き部５５に入り込むように形成される。これにより、ブラケット６０が、バンド５０に対してずれないように固定される。
【００７８】
１対の凸部６１の間隔は、２６．６ｍｍである。凸部６１の突出の長さは、１．９ｍｍである。１対の凸部６１の間隔は、外力によって、１〜２ｍｍ程度広がる。ブラケット６０の背面の厚みは、１．８ｍｍである。背面には、傾斜が形成されている。ブラケット６０の各部分の厚みは、おおよそ３ｍｍ以内である。
【００７９】
図９は、図７に示されたブラケット６０の前面を示す図である。図９に示された通り、ブラケット６０は、３対の挿入部６２を有する。また、ブラケット６０は、４つの隆起部６３を有する。また、ブラケット６０の片側にのみ、差込部６４を有する。ブラケット６０の上面から下面までの長さは、２０ｍｍである。
【００８０】
３対の挿入部６２は、バンド５０の３つの孔５４に対応する。４つの隆起部６３は、バンド５０の４つの切り欠き部５５に対応する。
【００８１】
差込部６４は、コインを用いて外力を与えるための部分であり、コインを差し込んでブラケット６０を撓らせるための部分である。ブラケット６０は、筐体７０が取り付けられた状態において、筐体７０からブラケット６０を引き離す外力を受けて撓る。すなわち、ブラケット６０は、外力を受けている間、歪められる。これにより、筐体７０が取り外される。すなわち、差込部６４は、筐体７０を取り外す際に用いられる。
【００８２】
図１０は、図７に示されたブラケット６０の背面を示す図である。上述した通り、ブラケット６０の背面には、傾斜が形成されている。図１０には、傾斜に対応する境界が示されている。
【００８３】
ブラケット６０の背面に形成された傾斜は、ブラケット６０の領域毎に厚みを変化させて、ブラケット６０の強度を補う。これにより、曲がった板状に形成されているブラケット６０が、全体として一定の強度で構成され、壊れることなく、適切に撓る。また、ブラケット６０の耐久性が向上する。
【００８４】
図１１は、図７に示されたブラケット６０の側面を示す図である。ブラケット６０の側面にも傾斜が形成されている。図１１には、傾斜に対応する境界が示されている。
【００８５】
図１２は、図７に示されたブラケット６０の断面を示す図である。より具体的には、図１２は、図９に示されたブラケット６０のＢ−Ｂ’断面を示す。
【００８６】
３対の挿入部６２のうち真ん中の１対の挿入部６２は、他の２対の挿入部６２よりも突出している。また、差込部６４は、コインの形状に沿った形状を有する。具体的には、差込部６４の形状は、１０円玉の円周に沿っている。１０円玉は、サイズが比較的大きい、厚みが適度に薄い、流通量が多い、および、角がくっきりしているという理由で、有効である。
【００８７】
図１３は、図３に示された一体化されたバンド５０およびブラケット６０の前面を示す図である。図１３のように、バンド５０の取り付け部５８にブラケット６０が取り付けられる。そして、バンド５０の３つの孔５４へ、ブラケット６０の３対の挿入部６２が挿入される。また、バンド５０の４つの切り欠き部５５へ、ブラケット６０の４つの隆起部６３が入り込む。
【００８８】
また、図１３では、差込部６４が、一体化されたバンド５０およびブラケット６０の前面に向かって、右側に設けられている。差込部６４が右側に設けられるか左側に設けられるかは、無線通信装置３０が右手に装着されるか左手に装着されるかに応じて、変更されてもよい。すなわち、バンド５０およびブラケット６０は、右手用に一体化されてもよいし、左手用に一体化されてもよい。
【００８９】
図１４は、図３に示された一体化されたバンド５０およびブラケット６０の側面を示す図である。ブラケット６０は、バンド５０の取り付け部５８の空洞部５６に組み込まれる。
【００９０】
図１５は、図３に示されたバンド５０およびブラケット６０の断面を示す図である。具体的には、図１３に示された一体化されたバンド５０およびブラケット６０のＣ−Ｃ’断面を示す。上述の通り、ブラケット６０は、バンド５０の取り付け部５８の空洞部５６に組み込まれる。そして、ブラケット６０の３対の挿入部６２がバンド５０の３つの孔５４へ挿入される。
【００９１】
図１６は、図２に示された筐体７０の斜視図である。筐体７０は、無線通信を行うための回路等を格納するための箱である。筐体７０は、ポリカーボネートおよびガラス繊維で構成される。これにより、適度な硬度で筐体７０が構成される。
【００９２】
図１７は、図１６に示された筐体７０の前面を示す図である。筐体７０は、ストラップホール部７１、凹部７２、傾斜部７３、阻害部７４、固定部７５、および、ボタン７６を含む。
【００９３】
ストラップホール部７１は、紐などを通すための孔を有する。これにより、筐体７０にタグを付けたり、保管場所に引っ掛けるための紐を付けたりすることができる。
【００９４】
凹部７２は、ブラケット６０と嵌合するための形状を有する。より具体的には、凹部７２は、ブラケット６０の凸部６１と嵌合する。
【００９５】
傾斜部７３には、筐体７０とブラケット６０とが結合した状態においてブラケット６０の差込部６４を見やすくするための傾斜が形成されている。つまり、傾斜部７３において、筐体７０が削られている。
【００９６】
また、傾斜部７３は、差込部６４に差し込まれたコインから筐体７０への外力をよけるように形成されている。具体的には、人９０が、コインを差込部６４に差し込んでコインをひねった場合、コインからブラケット６０と筐体７０との両方へ、ブラケット６０と筐体７０とを引き離すための外力が与えられる可能性がある。傾斜部７３は、このような外力をよけるため、形成されている。
【００９７】
すなわち、人９０が、コインを差込部６４に差し込んでコインをひねった場合、コインが滑るように形成される。これにより、人９０が、コインからブラケット６０と筐体７０との両方へ外力を与えることが困難になる。
【００９８】
阻害部７４は、傾斜部７３にコインが差し込まれないように、凸状の形状を有する。これにより、阻害部７４は、ブラケット６０の両側のうち差込部６４が設けられていない方にコインが差し込まれることを阻害する。
【００９９】
固定部７５は、凸状の形状を有し、筐体７０とブラケット６０とが結合した状態においてブラケット６０がずれないようにブラケット６０を固定する。
【０１００】
ボタン７６は、無線通信のためのユーザインタフェースである。例えば、ボタン７６の押下に応じて、無線通信が開始される。
【０１０１】
ストラップホール部７１の高さは、３．５ｍｍである。筐体７０の高さは、ストラップホール部７１の高さを除いて、４１ｍｍである。筐体７０の幅は、凸状の固定部７５を含めて、３２ｍｍであり、凸状の固定部７５を除いて、２９ｍｍである。
【０１０２】
図１８は、図１６に示された筐体７０の背面を示す図である。筐体７０の背面には、溝７７、および、ネジ７８が含まれる。
【０１０３】
溝７７には、ブラケット６０の挿入部６２が挿入される。例えば、バンド５０とブラケット６０と筐体７０とが結合されることにより、ブラケット６０の挿入部６２がバンド５０の孔５４および孔５３を通って、筐体７０の溝７７へ挿入される。
【０１０４】
ネジ７８は、筐体７０の開閉を制限する。これにより、筐体７０の内部が適切に保護される。特に、ネジ７８は、筐体７０の背面に含まれるため、筐体７０がブラケット６０に取り付けられた状態において筐体７０が開けられないように、筐体７０の開閉を制限することができる。
【０１０５】
図１９は、図１６に示された筐体７０の側面を示す図である。筐体７０の側面には、前面にも現れたストラップホール部７１、凹部７２、傾斜部７３、阻害部７４、および、固定部７５が現れる。図１９に示されている通り、筐体７０の厚みは、１４．５ｍｍである。
【０１０６】
図２０は、図１６に示された筐体７０の断面を示す図である。より具体的には、図２０は、図１７に示された筐体７０のＤ−Ｄ’断面を示す。図２０の通り、溝７７において、筐体７０が内側へ向かって削られている。また、筐体７０の内部に、無線通信を行うための通信部７９が含まれる。通信部７９は、具体的には、電気回路である。
【０１０７】
図２１は、図１６に示された筐体７０の上面を示す図である。筐体７０の上面には、前面にも現れたストラップホール部７１、および、固定部７５が現れる。
【０１０８】
図２２は、図１６に示された筐体７０の外形の端面を示す図である。より具体的には、図２２は、図１７に示された筐体７０のＥ−Ｅ’端面を示す。また、図２２は、筐体７０の外形のみを示し、筐体７０の内部の構造が省略されている。図２２に示されているように、凹部７２および溝７７において、筐体７０が内側に向かって削られている。これにより、ブラケット６０が適切に筐体７０と嵌合する。
【０１０９】
図２３は、図２に示された無線通信装置３０を手首９１に装着する過程を示す図である。ここでは、図３に示された一体化されたバンド５０とブラケット６０とが用いられる。
【０１１０】
まず、バンド５０が手首９１に巻きつけられる。次に、ブラケット６０の挿入部６２がバンド５０の孔５３に挿入される。これにより、図２３のように、バンド５０で形成された環状体が手首９１に装着される。
【０１１１】
すなわち、手首９１に装着される環状体は、バンド５０の２つの部分が連結されることにより形成される。環状体に含まれる連結部分５７は、連結されている２つの部分で構成される。具体的には、連結部分５７は、バンド５０の取り付け部５８の前面側の部分と、バンド５０のうち取り付け部５８の前面側の部分に連結されている部分とで構成される。連結部分５７は、バンド５０の２つの部分が連結するための孔５３および孔５４を含む。ブラケット６０は、連結部分５７の背面側および側面側を覆っている。
【０１１２】
次に、筐体７０が連結部分５７の前面側に取り付けられる。その際、ブラケット６０は、筐体７０と嵌合する。これにより、筐体７０が連結部分５７の前面側を覆う。そして、これにより、図２のように、無線通信装置３０が手首９１に装着される。
【０１１３】
図２４は、図２におけるブラケット６０および筐体７０の結合状態を示す図である。図２４は、図２におけるブラケット６０および筐体７０の上面を模式的に示す。ブラケット６０は、取り付けられた筐体７０が片手（１つの手）のみで取り外されないように筐体７０と嵌合する。具体的には、ブラケット６０の凸部６１は、筐体７０の凹部７２に嵌合する。また、ブラケット６０の凸部６１は、筐体７０の上面の一部を覆う。これにより、ブラケット６０は、筐体７０と強固に嵌合する。
【０１１４】
ブラケット６０は、取り付けられた筐体７０からブラケット６０を引き離す外力を受けて撓る。これにより、筐体７０が取り外される。しかし、両手を用いずに、筐体７０からブラケット６０を引き離す外力をブラケット６０に与えることは困難である。したがって、片手で筐体７０を取り外すことは困難である。
【０１１５】
このように、ブラケット６０は、取り付けられた筐体７０が片手で取り外せないように筐体７０と嵌合する。
【０１１６】
図２５は、図２に示された無線通信装置３０を手首９１から外す過程を示す図である。図２５のように、無線通信装置３０を手首９１から外すため、コイン４０が用いられる。具体的には、コイン４０がブラケット６０の差込部６４に差し込まれる。そして、コイン４０を用いて、ブラケット６０を筐体７０から引き離す外力がブラケット６０に与えられる。
【０１１７】
より具体的には、無線通信装置３０の装着者である人９０とは別の人８０が、一方の手で筐体７０を押さえて、他方の手でコイン４０を用いて筐体７０から引き離す方向へブラケット６０が撓るように外力を与える。すなわち、人８０は、コイン４０を用いて隙間を押し広げる。これにより、図２３のように、筐体７０が取り外される。図２３では、連結部分５７の前面側が覆われていないため、手首９１からバンド５０を外すことが可能である。
【０１１８】
コイン４０が用いられる場合でも、両手を用いずに、片手で筐体７０からブラケット６０を引き離す外力をブラケット６０に与えることは困難である。
【０１１９】
以上の通り、本実施の形態における無線通信装置３０は、バンド５０と筐体７０とブラケット６０とを備え、手首９１に装着される。
【０１２０】
バンド５０は、バンド５０の２つの部分が連結されることによって、バンド５０の２つの部分で構成される連結部分５７を含む環状体を形成する。筐体７０は、環状体の外周側に取り付けられ、環状体の外周側において連結部分５７を覆う。ブラケット６０は、連結部分５７を覆う筐体７０とは反対側において、および、環状体の環状の断面を含む境界面を挟んだ両側において、連結部分５７を覆い、環状体の外周側において取り付けられた筐体７０が片手で取り外されないように筐体７０と嵌合する。
【０１２１】
これにより、無線通信装置３０の装着者である人９０が自分自身で無線通信装置３０を手首９１から外すことが困難になる。一方、人９０とは別の人８０が、両手を用いて無線通信装置３０を人９０の手首９１から外すことが可能である。したがって、無線通信装置３０は、装着状態をシンプルかつ適切に維持することができる。
【０１２２】
なお、具体的には、バンド５０は、手首９１に装着するための環状体を形成する。環状体の環状の断面は、環状体の外周および内周で形成される。境界面は、環状体の環状の断面、および、その延長面を含む。ブラケット６０が筐体７０と嵌合することは、筐体７０がブラケット６０と嵌合することとに等しい。
【０１２３】
また、より具体的には、ブラケット６０が所定の位置に取り付けられた後に、筐体７０がブラケット６０と嵌合することによって、筐体７０が環状体の外周側に取り付けられる。これにより、ブラケット６０は、環状体の外周側に取り付けられた筐体７０と嵌合する。
【０１２４】
また、例えば、ブラケット６０は、環状体の外周側に取り付けられた筐体７０の複数の面のうち連結部分５７に向いている面とは反対側の面の一部を覆って、筐体７０と嵌合する。これにより、人９０が自分自身で無線通信装置３０を手首９１から外すことがより困難になる。また、筐体７０が取り付けられた状態が安定する。
【０１２５】
また、例えば、ブラケット６０には、筐体７０と嵌合するための凸部６１が形成されている。そして、筐体７０には、ブラケット６０と嵌合するための凹部７２が形成されている。これにより、ブラケット６０が筐体７０と適切に嵌合する。また、人９０が自分自身で無線通信装置３０を手首９１から外すことがより困難になる。
【０１２６】
また、例えば、ブラケット６０は、環状体の環状の断面を含む境界面を挟んで筐体７０の両側と嵌合する。これにより、ブラケット６０が筐体７０の両側と接触し嵌合する。したがって、ブラケット６０は筐体７０を適切に支持することができる。
【０１２７】
また、例えば、バンド５０の２つの部分には、２つの孔５３、５４が形成されている。そして、ブラケット６０は、２つの孔５３、５４へ挿入されることによってバンド５０の２つの部分を連結する挿入部６２を備える。
【０１２８】
これにより、連結部分５７において、２つの孔５３、５４に挿入部６２が挿入され、バンド５０の２つの部分が連結される。そして、連結部分５７は、ブラケット６０および筐体７０で覆われるため、連結部分５７を構成する２つの部分を引き離すことは困難である。したがって、装着状態が安定して維持される。
【０１２９】
また、例えば、筐体７０には、溝７７が形成されている。そして、挿入部６２は、環状体の外周側に取り付けられる筐体７０とは反対側から２つの孔５３、５４へ挿入され、２つの孔５３、５４を通って、筐体７０に形成されている溝７７に挿入される。これにより、挿入部６２が２つの孔５３、５４から外れ難くなる。また、連結部分５７の付近に、筐体７０が安定して取り付けられる。
【０１３０】
また、例えば、バンド５０とブラケット６０とは、分離されないように一体化されている。これにより、バンド５０とブラケット６０とを分離することが困難になる。したがって、無線通信装置３０を手首９１から外すことがより困難になる。
【０１３１】
また、例えば、環状体の外周側に取り付けられた筐体７０は、筐体７０からブラケット６０を引き離す外力でブラケット６０が撓ることによって、取り外される。これにより、ブラケット６０を筐体７０から引き離す外力に従って、筐体７０が取り外される。両手を用いずに、片手で、ブラケット６０を筐体７０から引き離す外力を与えることは困難である。したがって、装着状態が安定して維持される。
【０１３２】
また、例えば、筐体７０は、コイン４０を用いて与えられる外力でブラケット６０が撓ることによって、取り外される。これにより、コイン４０を用いて十分な外力が与えられる。したがって、無線通信装置３０を手首９１から外すことが容易になる。
【０１３３】
また、例えば、ブラケット６０は、コイン４０を差し込んでブラケット６０を撓らせるための差込部６４を有する。これにより、無線通信装置３０を手首９１から外す際に、コイン４０を用いて外力を与えることが容易になる。
【０１３４】
また、例えば、差込部６４の形状は、コイン４０の形状に沿っている。これにより、コイン４０が差込部６４に適切に差し込まれる。したがって、無線通信装置３０を手首９１から外すための外力が適切に与えられる。
【０１３５】
また、例えば、差込部６４は、環状体の環状の断面を含む境界面で分断されるブラケット６０の２つの区域のうち一方のみに備えられる。これにより、コイン４０を差し込んで外力を与える方向が制限される。したがって、人９０が自分自身で無線通信装置３０を手首９１から外すことがより困難になる。
【０１３６】
また、例えば、筐体７０は、差込部６４に差し込まれたコイン４０から筐体７０への外力をよけるための傾斜部７３を備えてもよい。これにより、コイン４０を用いてブラケット６０と筐体７０との両方へ外力を与えられることが困難になる。したがって、人９０が自分自身で無線通信装置３０を手首９１から外すことがより困難になる。
【０１３７】
また、例えば、ブラケット６０は、ポリカーボネートで構成されている。これにより、ブラケット６０に関して、適切な硬度を得ることが可能である。また、ポリカーボネートにガラス繊維を追加することで硬度を調整することが可能である。
【０１３８】
また、例えば、バンド５０は、エラストマーで構成されている。これにより、バンド５０に関して、適切な弾力性、および、適切な耐性を得ることが可能である。
【０１３９】
また、例えば、筐体７０は、ポリカーボネートおよびガラス繊維で構成されている。これにより、筐体７０に関して、適切な硬度を得ることが可能である。また、ポリカーボネートとガラス繊維との配分に基づいて、硬度を調整することが可能である。また、ブラケット６０と同種の材料を用いることが可能であり、材料の仕入れを簡便化することが可能である。
【０１４０】
また、例えば、ブラケット６０は、曲がった板状に形成されており、ブラケット６０の厚みは、３ｍｍ以内である。これにより、ブラケット６０は、適切に撓り、適切に筐体７０と嵌合する。したがって、装着状態が安定して維持される。
【０１４１】
また、例えば、ブラケット６０の厚みは、曲がった板状に形成されているブラケット６０が全体として一定の強度で構成されるように、ブラケット６０の領域毎に異なっている。これにより、ブラケット６０は、壊れることなく、適切に撓る。また、ブラケット６０の耐久性が向上する。
【０１４２】
また、例えば、無線通信装置３０は、さらに、筐体７０に、無線通信を行う通信部７９を備える。これにより、無線通信を行うための通信部７９が、筐体７０によって保護される。したがって、故障の発生が抑制される。
【０１４３】
また、例えば、ブラケット６０および筐体７０は、組み合わされた状態において全体として丸みを有するように、形成されている。これにより、片手で、筐体７０を掴み、かつ、ブラケット６０を筐体７０から引き離す外力をブラケット６０に与えることがより難しくなる。
【０１４４】
また、例えば、ブラケット６０の挿入部６２を削ることにより、腰に巻かれるベルトを通すためのベルトループなどに筐体７０を取り付けることが可能になる。これにより、無線通信装置３０を汎用的に利用することが可能になる。例えば、被介護者に限らず、子供あるは登山者などが利用することができる。
【０１４５】
また、例えば、バンド５０の２つの部分を連結するため、孔５３、５４の代わりに、中留が用いられてもよい。また、バンド５０、ブラケット６０および筐体７０の材料は、上記に示された材料以外の樹脂でもよいし、金属でもよい。また、バンド５０、ブラケット６０および筐体７０のサイズは、変更されてもよい。
【０１４６】
また、例えば、無線通信装置３０は、無線通信装置３０の位置を特定するための装置でもよい。また、無線通信装置３０は、信号を送信（発信）する装置でもよいし、信号を受信する装置でもよいし、信号の送信および受信の両方が可能な装置でもよい。具体的には、通信部７９が、親機２０および中継機２１、２２、２３へ無線通信で信号を送信してもよいし、親機２０および中継機２１、２２、２３から無線通信で信号を受信してもよい。
【０１４７】
以上、本発明の一態様に係る無線通信装置について、実施の形態に基づいて説明したが、本発明は実施の形態に限定されない。実施の形態に対して当業者が思いつく変形を施して得られる形態、および、実施の形態における複数の構成要素を任意に組み合わせて実現される別の形態も本発明に含まれる。
【産業上の利用可能性】
【０１４８】
本発明の一態様に係る無線通信装置は、無線通信システムなどに利用可能であり、特に、徘徊者検知システム、迷子検知システム、遭難者検知システムなどのように、人の位置を検知するための無線通信システムに有用である。
【符号の説明】
【０１４９】
１０  無線通信システム
２０  親機
２１、２２、２３  中継機
３０  子機（無線通信装置）
４０  コイン
５０  バンド
５１  小片
５２  くびれ部
５３、５４  孔
５５  切り欠き部
５６  空洞部
５７  連結部分
５８  取り付け部
６０  ブラケット
６１  凸部
６２  挿入部
６３  隆起部
６４  差込部
７０  筐体
７１  ストラップホール部
７２  凹部
７３  傾斜部
７４  阻害部
７５  固定部
７６  ボタン
７７  溝
７８  ネジ
７９  通信部
８０、９０  人
９１  手首
【要約】
【課題】装着状態をシンプルかつ適切に維持することができる無線通信装置を提供する。
【解決手段】無線通信装置３０は、２つの部分が連結されることによって、２つの部分で構成される連結部分を含む環状体を形成するバンド５０と、環状体の外周側に取り付けられ、外周側において連結部分を覆う筐体７０と、連結部分を覆う筐体７０とは反対側において、および、環状体の環状の断面を含む境界面を挟んだ両側において、連結部分を覆い、外周側において取り付けられた筐体７０が片手で取り外されないように筐体７０と嵌合するブラケット６０とを備える。
【選択図】図２【図１】
0005681934.tif 000002
【図２】
0005681934.tif 000003
【図３】
0005681934.tif 000004
【図４】
0005681934.tif 000005
【図５】
0005681934.tif 000006
【図６】
0005681934.tif 000007
【図７】
0005681934.tif 000008
【図８】
0005681934.tif 000009
【図９】
0005681934.tif 000010
【図１０】
0005681934.tif 000011
【図１１】
0005681934.tif 000012
【図１２】
0005681934.tif 000013
【図１３】
0005681934.tif 000014
【図１４】
0005681934.tif 000015
【図１５】
0005681934.tif 000016
【図１６】
0005681934.tif 000017
【図１７】
0005681934.tif 000018
【図１８】
0005681934.tif 000019
【図１９】
0005681934.tif 000020
【図２０】
0005681934.tif 000021
【図２１】
0005681934.tif 000022
【図２２】
0005681934.tif 000023
【図２３】
0005681934.tif 000024
【図２４】
0005681934.tif 000025
【図２５】
0005681934.tif 000026